(57)【要約】【課題】接点圧力を大きくし高容量の開閉を可能とするプッシュスイッチを提供する。【解決手段】このプッシュスイッチは、器体の一側面から内外に貫通して押動自在に装着された押し釦６と、押し釦６の移動方向に並行する器体の天井面に回転自在に軸支された回転子１０と、器体の底面に固定接点３ａを設けた接点端子３と、略コ字形に形成されたコ字部を有し前記コ字部の一方の脚片から延設された延設片５ｄに可動接点５ｅを設けた可動接触子５と、可動接触子５を揺動自在に支持する支持部を器体の底面に設けた共通端子４と、一端部が回転子１０に装着され他端部が可動接触子５の前記コ字部に挿入され、押し釦６の押操作に連動して撓みを反転させて可動接触子５を揺動させ、可動接点５ｅと固定接点３ａとを接触／開離させる反転スプリング１１とを備えたものとした。【選択図】        図１
2004227781.tif 000002
【特許請求の範囲】
【請求項１】
器体の一側面から内外に貫通して押動自在に装着された押し釦と、該押し釦の移動方向に並行する器体の天井面に回転自在に軸支された回転子と、器体の底面に固定接点を設けた導電材料からなる接点端子と、略コ字形に形成されたコ字部を有し前記コ字部の一方の脚片側に前記固定接点に対応する可動接点を設けた導電材料からなる可動接触子と、前記可動接触子を揺動自在に支持する支持部を器体の底面に設けた導電材料からなる共通端子と、一端部が前記回転子に装着され他端部が前記可動接触子の前記コ字部に挿入され、前記押し釦の押操作に連動して撓みを反転させて前記可動接触子を揺動させ、前記可動接点と前記固定接点とを接触／開離させるコイル状の反転スプリングとを備えたことを特徴とするプッシュスイッチ。
【発明の詳細な説明】
【０００１】
【発明の属する技術分野】
本発明は、押し釦を押し操作して開閉部を開閉させるプッシュスイッチに関するものである。
【０００２】
【従来の技術】
従来この種のプッシュスイッチとして、例えば図３に示す構造のものがある（特許文献１にも同様の構造のスイッチが開示されている。）。
【０００３】
このプッシュスイッチは、一面が開口した略箱形のボディ１００と、ボディ１００の開口側に結合されるカバー１０１と、ボディ１００の一側面から内外に貫通して押動自在に装着されボディ１００内に配置された部位に孔１０２ａを有する押し釦１０２と、ボディ１００内に固定接点１０３ａを有する一端部が配設され他端部がボディ１００の底面を貫通し外部に突出した接点端子１０３と、略Ｕ字形に形成され一端に可動接点１０４ａを固着すると共に他端を短くカットして外側に折曲し舌片１０４ｂを設けた可動接触子１０４と、可動接触子１０４を揺動支点１０５ａを中心に揺動自在に支持すると共に一端部がボディ１００の底面を貫通し外部に突出した共通端子１０５と、一端部が可動接触子１０４の舌片１０４ｂに係止され他端部が押し釦１０２の孔１０２ａを通ってカバー１０１の裏面に設けた突起部１０１ａに係止されたコイル状の反転スプリング１０６と、押し釦１０２をボディ１００の外方へ突出させる方向に付勢する復帰スプリング１０７とを備えて構成される。
【０００４】
上記のように構成されたプッシュスイッチは、押し釦１０２の孔１０２ａの一側面１０２ｂで反転スプリング１０６を押すことで可動接触子１０４が図３において反時計方向に揺動し可動接点１０４ａが固定接点１０３ａに接触してオン状態となり、また、角孔１０２ａの側面１０２ｂと対向する側面１０２ｃで反転スプリング１０６を押すことで可動接触子１０４が図３において時計方向に揺動し可動接点１０４ａが固定接点１０３ａから開離してオフ状態となる。
【０００５】
【特許文献１】
特開平６−１３９８７０号公報
【０００６】
【発明が解決しようとする課題】
しかしながら、プッシュスイッチに限らず、スイッチ全般としてスイッチの接点圧力を決めるのは反転スプリングのスプリング力であり、従来例の場合は、可動接触子１０４の回転支点１０５ａと反転スプリング１０６の係止部の水平距離が小さく、また、反転スプリング１０６の力の方向を接点圧力が大きくなるような方向にすることは、限られた大きさの中では困難であった。
【０００７】
また、反転スプリング１０６がカバー１０１の固定された突起部１０１ａに係止されているため、可動接触子１０４が反転するための反転スプリングの撓みが規制され、このことも接点圧力を大きくすることが困難な原因となっていた。
【０００８】
以上のように接点圧力が大きくできないため、スイッチの定格電流を大きくすることが困難となっており、例えば定格電流が「１６Ａ」以上のプッシュスイッチが現在存在しない理由の１つとなっている。
【０００９】
本発明は上記問題点に鑑みて為されたものであって、その目的とするところは、接点圧力を大きくし高容量の開閉を可能とするプッシュスイッチを提供することにある。
【００１０】
【課題を解決するための手段】
上記目的を達成するために、請求項１記載のプッシュスイッチは、器体の一側面から内外に貫通して押動自在に装着された押し釦と、該押し釦の移動方向に並行する器体の天井面に回転自在に軸支された回転子と、器体の底面に固定接点を設けた導電材料からなる接点端子と、略コ字形に形成されたコ字部を有し前記コ字部の一方の脚片側に前記固定接点に対応する可動接点を設けた導電材料からなる可動接触子と、前記可動接触子を揺動自在に支持する支持部を器体の底面に設けた導電材料からなる共通端子と、一端部が前記回転子に装着され他端部が前記可動接触子の前記コ字部に挿入され、前記押し釦の押操作に連動して撓みを反転させて前記可動接触子を揺動させ、前記可動接点と前記固定接点とを接触／開離させるコイル状の反転スプリングとを備えたものとした。
【００１１】
【発明の実施の形態】
以下、本発明の一実施形態を図１および図２を用いて説明する。
【００１２】
図１（ａ），（ｂ）は本実施形態のプッシュスイッチの縦断面図を、図２は本実施形態のプッシュスイッチの分解斜視図を示す。
【００１３】
このプッシュスイッチは、合成樹脂により一面が開口した略箱形に成形されたボディ１と、ボディ１の開口側に結合されるカバー２とから器体が作製される。
【００１４】
ボディ１とカバー２とは、ボディ１の一側面に設けた組立爪１ａと、カバー２の一側面に突設された舌片２ａに穿孔された組立孔２ｂとが凹凸嵌合することにより結合される。
【００１５】
ボディ１の内部は、隔壁１ｂにより長方形状の２つの収納室１Ａ，１Ｂに分離されている。
【００１６】
収納室１Ａ，１Ｂの底面の長手方向の一方には接点端子３，３が配設される。
【００１７】
接点端子３，３は導電材料からなり、略Ｌ字形に形成されており、短い方の脚片の外側面には固定接点３ａ，３ａが設けられ、固定接点３ａ，３ａをボディ１の底面に配設する共に長い方の脚片の先端３ｂをボディ１の底面から外部に貫通させた状態に取り付けられる。
【００１８】
収納室１Ａ，１Ｂの底面の長手方向の他方には共通端子４，４が配設される。
【００１９】
共通端子４，４は、導電材料からなり、略Ｌ字形に形成されており、短い方の脚片の先端が二股部４ａ，４ａに分かれて外側に折曲され、後述する可動接触子５を揺動自在に支持する支持部を形成している。
【００２０】
共通端子４，４は、二股部４ａ，４ａからなる支持部をボディ１の底面に配設すると共に長い方の脚片の先端４ｂをボディ１の底面から外部に貫通させた状態に取り付けられる。
【００２１】
可動接触子５，５は、中央片５ａと、中央片５ａの両端縁から中央片５ａと略直角となる方向にそれぞれ突出する両脚片５ｂ，５ｃとからなる略コ字形に形成されたコ字部を有している。
【００２２】
一方の脚片５ｂの先端からは延設片５ｄが延設され、延設片５ｄは一度、中央片５ａの方向へと略円弧状に折曲された後、中央片５ａの斜め上方へと折曲され、延設片５ａの先端の中央片５ａ側の面に可動接点５ｅを設けている。
【００２３】
また、中央片５ａの両脚片５ｂ，５ｃと並行する方向の両端部には切り欠き５ｆ，５ｆが設けられている。
【００２４】
可動接触子５，５は、切り欠き５ｆ，５ｆから共通端子４，４の二股部４ａ，４ａをコ字部の内側に突出させた状態に配置され、共通端子４，４の二股部４ａ，４ａからなる支持部に揺動自在に支持される。
【００２５】
ボディ１の接点端子３が配設された側の側面と対向する側の側面には、ボディ１の開口側の端縁から切り欠き１ｃが設けられ、切り欠き１ｃを介して押し釦６が押動自在に装着される。
【００２６】
押し釦６は、底面および長手方向の一側面が開口した略直方体形状の操作体６ａを有し、操作体６ａの上面から前記開口した一側面の方向へ延設部６ｂが延設され、延設部６ｂの両側に角孔６ｄ，６ｄを有する腕体６ｃ，６ｃが突出した略Ｔ字形の形状に成形される。
【００２７】
夫々の角孔６ｄ，６ｄの延設部６ｂに沿った両内側面の対向する位置には、凸部６ｆ，６ｆが突設される。
【００２８】
押し釦６は、操作体６ａの内部に復帰スプリング７を収納し、復帰スプリング７の一端を前記開口した一側面を通してボディ１の切り欠き１ｃの下方に設けられた凸部１ｄに係止させた状態で、各腕体６ｃ，６ｃをボディ１の内部に収納して配置される。
【００２９】
また、押し釦６の延設部６ｂのカバー２側の面にはハート形カム部６ｅが形成されている。
【００３０】
ロックピン８は、線状の金属により中央片８ａと両脚片８ｂ，８ｃとからなる略コ字形に形成され、一方の脚片８ｂをボディ１の接点端子３が配設された側の側面の開口側の端縁付近に設けた孔１ｅに回動自在に軸支させ、他方の脚片８ｃをハート形カム部６ｅの外周部に沿って摺動させる。
【００３１】
押さえばね９は、一端部に設けた孔９ａがカバー２の裏面に設けた凸部２ｃに取着され、他端部でロックピン８を常にハート形カム部６ｅの方向に付勢する。
【００３２】
回転子１０は、押し釦６の移動方向に並行するカバー２の裏面に設けられた軸受け２ｄにより回転自在に軸支される。また、カバー２がボディ１に結合された際にボディ１側となる面に凸部１０ａが設けられている。
【００３３】
コイル状の反転スプリング１１は、その径が押し釦６の角孔６ｄ，６ｄに設けられた２つの凸部６ｆ，６ｆ間の間隔よりも大きく形成され、一端部が回転子１０の凸部１０ａに装着され、他端部が押し釦６の角孔６ｄ，６ｄの凸部６ｆ，６ｆと、角孔６ｄ，６ｄの操作体６ａ側の内側面６ｇ，６ｇとの間を通った後に可動接触子５の前記コ字部に挿入される。
【００３４】
上記のように構成されたプッシュスイッチは、詳しくは省略するが、取り付け穴１２ａ，１２ａを有する取付金具１２によりプリント板等に取着される。
【００３５】
次に、このプッシュスイッチの動作について説明する。
【００３６】
押し釦６を押圧しない初期状態（オフ状態）では、図１（ａ）に示すように、押し釦６が復帰スプリング７によりボディ１の外側方向へと付勢された状態でボディ１から外部に突出している。
【００３７】
また、反転スプリング１１，１１は、図１（ａ）において、略逆く字形に撓んでおり、反転スプリング１１，１１の他端部が挿入された可動接触子５，５は、反転スプリング１１，１１にコ字部の他方の脚片５ｃが内側から押されて付勢され、可動接触子５，５の中央片５ａ，５ａがボディ１の底面と並行となり、中央片５ａの斜め上方に位置する可動接点５ｅ，５ｅは、固定接点３ａ，３ａから開離した状態となる。この時の接点間隔ｘは、３ｍｍ以上となっている。
【００３８】
次に、押し釦６の操作部６ａの先端が押し操作されると、反転スプリング１１，１１が押し釦６の角孔６ｄ，６ｄの操作体６ａ側の内側面６ｇ，６ｇに押圧され、それと連動して反転スプリング１１，１１の他端部が挿入された可動接触子５，５が共通端子４，４の二股部４ａ，４ａを支点として図１（ａ）において反時計方向へと回転していく。また、反転スプリング１１，１１の一端部が装着された回転子１０，１０は、図１（ａ）において時計方向へと回転していく。
【００３９】
ある時点で、反転スプリング１１，１１は死点を越えると撓みが反転し、可動接触子５，５をスナップアクション的に回転させ、図１（ｂ）に示すように可動接点５ｅ，５ｅと固定接点３ａ，３ａとが接触し、プッシュスイッチがオン状態となる。この時、反転スプリング１１，１１は、略く字形に撓んでいる。
【００４０】
このオン状態において、図１（ｂ）に示すように可動接触子５，５のコ字部の一方の脚片５ｂには反転スプリング１１，１１が当接しており、コ字部を内側から押圧し、可動接点５ｅと固定接点３ａとの接点圧力が大きくなる方向に可動接触子５，５を付勢している。
【００４１】
この状態はロックピン８がハート形カム６ｅに係止することにより保持される。
【００４２】
ロックピン８のロック状態が解除されると、押し釦６は復帰スプリング７の付勢力によりボディ１の外側方向へと移動する。この時、反転スプリング１１，１１は押し釦６の角孔６ｄ，６ｄの凸部６ｆ，６ｆにより押し釦６の移動方向へと押圧され、それと連動して可動接触子５，５が共通端子４，４の二股部４ａ，４ａを支点として図１（ｂ）において時計方向へと回転していく。また、回転子１０，１０は、図１（ｂ）において反時計方向へと回転していく。
【００４３】
ある時点で、反転スプリング１１，１１は死点を越えると撓みが反転し、可動接触子５，５をスナップアクション的に回転させ、図１（ａ）に示すように可動接点５ｅ，５ｅと固定接点３ａ，３ａとが開離し、プッシュスイッチがオフ状態となる。この時、反転スプリング１１，１１は、略逆く字形に撓んでいる。
【００４４】
かかるプッシュスイッチにおいては、反転スプリング１１，１１の一端部を回転子１０，１０に装着したことにより反転スプリング１１，１１の撓みの変化がスムーズになると共に、反転スプリング１１，１１の他端部を可動接触子５，５の前記コ字部に挿入したことによりスイッチがオン状態となったときに反転スプリング１１，１１の撓みが可動接触子５，５のコ字部を内側から押圧し、可動接点５ｅと固定接点３ａとの接点圧力が大きくなる方向に可動接触子５，５を付勢するので、接点圧力を大きくすることができ、高容量の開閉が可能となる。
【００４５】
【発明の効果】
請求項１記載のプッシュスイッチは、器体の一側面から内外に貫通して押動自在に装着された押し釦と、該押し釦の移動方向に並行する器体の天井面に回転自在に軸支された回転子と、器体の底面に固定接点を設けた導電材料からなる接点端子と、略コ字形に形成されたコ字部を有し前記コ字部の一方の脚片側に前記固定接点に対応する可動接点を設けた導電材料からなる可動接触子と、前記可動接触子を揺動自在に支持する支持部を器体の底面に設けた導電材料からなる共通端子と、一端部が前記回転子に装着され他端部が前記可動接触子の前記コ字部に挿入され、前記押し釦の押操作に連動して撓みを反転させて前記可動接触子を揺動させ、前記可動接点と前記固定接点とを接触／開離させるコイル状の反転スプリングとを備えたので、前記反転スプリングの一端部を前記回転子に装着したことにより前記反転スプリングの撓みがスムーズになると共に、前記反転スプリングの他端部を前記可動接触子の前記コ字部に挿入したことにより、前記押し釦が押操作され前記反転スプリングの撓みが反転して前記可動接点と前記固定接点とが接触すると、前記反転スプリングの撓みが前記可動接触子のコ字部を内側から押圧し前記可動接点と前記固定接点との接点圧力を高めるので、高容量の開閉が可能になるという効果がある。
【図面の簡単な説明】
【図１】（ａ）本実施形態のプッシュスイッチのオフ時の縦断面図である。
（ｂ）同上のプッシュスイッチのオン時の縦断面図である。
【図２】（ａ）同上の分解斜視図である。
（ｂ）同上のカバーの裏面の分解斜視図である。
【図３】従来例のプッシュスイッチの縦断面図である。
【符号の説明】
１  ボディ
２  カバー
３  接点端子
３ａ  固定接点
４  共通端子
５  可動接触子
５ｅ  可動接点
６  押し釦
７  復帰スプリング
８  ロックピン
９  押さえばね
１０  回転子
１１  反転スプリング
【図１】
2004227781.tif 000003
【図２】
2004227781.tif 000004
【図３】
2004227781.tif 000005